(57)【要約】【課題】特定の通信先から情報を取得可能とすることを目的とする。【解決手段】通信対象装置２００の位置、その位置の取得日時、及び通信対象装置２００を特定する固有識別情報を含む位置特定データを受信して、通信対象装置２００の特定情報を蓄積すると共に、通信対象装置２００からの提供情報を保持する。そして、検索位置及び日時を検索条件として含む要求信号を受信すると、要求信号に含まれる検索条件で上記蓄積した特定情報を検索して、検索条件を満足する通信可能な通信対象装置２００を特定し、その特定した通信対象装置２００に関する提供情報を、上記要求信号を送信した通信先指定装置１００に送信する。【選択図】        図１
2012256277.tif 000002
【特許請求の範囲】
【請求項１】
通信対象装置の位置、その位置の取得日時、及び上記通信対象装置を特定する固有識別情報を含む位置特定データを受信する通信対象情報取得部と、
通信対象情報取得部が受信した位置特定データを、通信対象装置を特定する特定情報として蓄積する情報蓄積部と、
上記通信対象装置からの提供情報を受信して保持する提供情報保持部と、
検索位置及び指定日時を検索条件として含む要求信号を受信すると、上記要求信号に含まれる検索条件で上記蓄積した特定情報を検索して、検索条件を満足する通信対象装置を特定する通信先特定部と、
通信先特定部が特定した１又は２以上の通信対象装置から受信した提供情報若しくはその提供情報を加工した加工情報の少なくとも一方の情報を、上記要求信号を送信した通信先指定装置に送信する情報送信部と、
を備えることを特徴とする通信先特定サーバ。
【請求項２】
上記通信先特定部が特定した通信対象装置を選択するための選択情報を、上記要求信号を送信した通信先指定装置に送信し、その送信に対して上記通信先指定装置から選択された通信対象装置の情報を受信する通信対象装置選択部を備え、
上記情報送信部は、上記選択された通信対象装置から受信した提供情報若しくはその提供情報を加工した加工情報を、上記要求信号を送信した通信先指定装置に送信する請求項１に記載した通信先特定サーバ。
【請求項３】
提供情報を送信する可能性のある通信対象装置に関する情報を保持した通信対象装置情報保持部を備え、通信先指定装置からの要求に応じて、要求された通信対象装置の情報を要求した通信先指定装置に送信することを特徴とする請求項１又は請求項２に記載した通信先特定サーバ。
【請求項４】
通信先指定装置からの要求に応じて、通信先特定部が特定した通信対象装置に直接通信接続するための通信情報を上記通信先指定装置に送信することを特徴とする請求項３に記載した通信先特定サーバ。
【請求項５】
通信先指定装置からの要求に従って、通信先特定部が特定した通信対象装置に通信接続するための通信情報の一覧情報を、上記通信先指定装置に送信することを特徴とする請求項４に記載した通信先特定サーバ。
【請求項６】
要求に応じて特定した通信対象装置の情報を通信先指定装置に送信した後に、当該特定した通信対象装置から提供情報を受信すると、その受信した提供情報を通信先指定装置に送信することを特徴とする請求項１〜請求項５のいずれか１項に記載した通信先特定サーバ。
【請求項７】
通信先指定装置からの要求に従って、条件を満足する提供情報を、個別の通信対象装置が特定されない形に加工し、その加工した情報を要求された通信先指定装置に送信することを特徴とする請求項６に記載した通信先特定サーバ。
【請求項８】
請求項１〜請求項７のいずれか１項に記載の通信先特定サーバと、
通信対象装置の位置を取得する位置取得部、及び、位置取得部が取得した位置その位置の取得日時及び通信対象装置を特定する固有識別情報を含む位置特定データを通信先特定サーバに送信する通信対象装置と、
通信先特定サーバに対し検索位置及び日時を検索状態に含む要求信号を送信すると共に、当該通信先特定サーバから検索条件を満足する通信対象装置が送信した提供情報を受信する通信先指定装置と、
を備えることを特徴とする通信対象特定システム。
【請求項９】
上記通信先指定装置は、選択された地図情報上のエリアを取得し、取得したエリアを上記検索位置とすることを特徴とする請求項８に記載した通信対象特定システム。
【請求項１０】
上記通信先指定装置は、自己の周囲に存在する通信対象装置及び通信対象装置を装備している可能性のある移動体の少なくとも一方を認識対象として認識する認識部と、その認識部が認識した認識対象から通信対象装置又は移動体を選択する対象選択部と、対象選択部が選択した認識対象の情報を通信先特定サーバに送信する通信部とを備え、
上記通信先特定サーバは、通信先指定装置から受信した認識対象の情報に対応する通信対象装置を特定し、特定した通信対象装置が通信可能状態にあるかどうかを判断し、通信可能状態と判定した場合には、その通信可能状態の通信対象装置に関する提供情報を通信先指定装置に送信することを特徴とする請求項８又は請求項９に記載した通信対象特定システム。
【請求項１１】
上記通信対象装置の少なくとも１つは、移動体である車両に搭載されていることを特徴とする請求項８〜請求項１０のいずれか１項に記載した通信対象特定システム。
【請求項１２】
上記通信先指定装置は、通信対象装置から取得したい提供情報の種別を通信先特定サーバに送信し、
上記通信先特定サーバは、通信対象装置から受信した提供情報のうち、通信先指定装置から受信した種別の提供情報を当該通信先指定装置に送信することを特徴とする請求項８〜請求項１１のいずれか１項に記載した通信対象特定システム。
【請求項１３】
上記通信対象装置の少なくとも１つは、移動通信端末に搭載されていることを特徴とする請求項８〜請求項１２のいずれか１項に記載した通信対象特定システム。
【発明の詳細な説明】
【技術分野】
【０００１】
本発明は、通信を行う通信対象装置を特定する通信先特定の技術に関する。
【背景技術】
【０００２】
特許文献１には、車両と車両が予め定めた通信方式に基づいて通信することで、車車間で相互に情報を送受信する技術が記載されている。
【先行技術文献】
【特許文献】
【０００３】
【特許文献１】特開２０１０−２５９１０３号公報
【発明の概要】
【発明が解決しようとする課題】
【０００４】
上記従来技術では、各車両は、通信をしようとしている相手（他の車両）との通信に必要な仕様、例えば互いの通信手段やアドレス、どのような情報を持っているかを相互に且つ事前に知っている必要がある。このため、いずれかの車両での通信手段や取得情報が変更された場合に、必要とする情報を他車両から取得出来なくなるおそれがある。
本発明は、上記のような点に着目してなされたもので、特定の通信先から情報を取得可能とすることを目的としている。
【課題を解決するための手段】
【０００５】
上記課題を解決するために、本発明の一態様は、通信対象装置の位置、その位置の取得日時、及び通信対象装置を特定する固有識別情報を含む位置特定データを受信して、通信対象装置の特定情報を蓄積すると共に、通信対象装置からの提供情報を保持する。そして、検索位置及び日時を検索条件として含む要求信号を受信すると、要求信号に含まれる検索条件で上記蓄積した特定情報を検索して、検索条件を満足する通信可能な通信対象装置を特定し、その特定した通信対象装置に関する提供情報を、上記要求信号を送信した通信先指定装置に送信する。
【発明の効果】
【０００６】
本発明によれば、通信先特定サーバは、通信先指定装置から指定される検索位置とこれを判別する指定日時によってこの条件に該当する通信対象装置を特定することで、特定した通信先対象装置からの提供情報を通信先指定装置に対し送信する。この結果、通信先指定装置は、通信先特定サーバを通じて、通信対象装置が提供する提供情報を取得可能となる。
【図面の簡単な説明】
【０００７】
【図１】本発明に基づく実施形態に係るシステム構成を説明する図である。
【図２】本発明に基づく実施形態に係る通信先指定装置の処理を説明する図である。
【図３】本発明に基づく実施形態に係る通信先指定画面例を示す図である。
【図４】本発明に基づく実施形態に係る通信先特定サーバの処理を説明する図である。
【図５】本発明に基づく第２実施形態に係るシステム構成を説明する図である。
【図６】本発明に基づく第２実施形態に係る通信先指定装置の処理を説明する図である。
【図７】本発明に基づく第２実施形態に係る通信先指定画面例を示す図である。
【図８】本発明に基づく第２実施形態に係る通信先特定サーバの処理（通信先候補一覧情報取得要求時）を説明する図である。
【図９】本発明に基づく第２実施形態に係る通信先特定サーバの処理（データ取得要求時）を説明する図である。
【図１０】本発明に基づく第２実施形態に係る通信対象装置の処理を説明する図である。
【図１１】本発明に基づく第３実施形態に係るシステム構成を説明する図である。
【図１２】本発明に基づく第３実施形態に係る通信先指定装置の処理を説明する図である。
【図１３】本発明に基づく第３実施形態に係る通信先指定画面例（前方）を示す図である。
【図１４】本発明に基づく第３実施形態に係る通信先指定画面例（全周囲）を示す図である。
【図１５】本発明に基づく第３実施形態に係る通信先特定サーバの処理を説明する図である。
【発明を実施するための形態】
【０００８】
次に本発明に係る実施形態について図面を参照して説明する。
（構成）
図１は、本実施形態に係る通信対象特定システムを説明する構成図である。
通信先特定システムは、図１に示すように、通信先特定サーバ３００、複数の通信対象装置２００ａ、２００ｂ。２００ｃ・・・（以下、通信対象装置２００とする）、及び通信先指定装置１００からなる。
【０００９】
「通信対象装置２００」
本実施形態の通信対象装置２００は、車両に搭載されている。その通信対象装置２００は、通信先特定サーバ３００に対し、予め設定した一定間隔で位置特定データを送信する。上記位置特定データは、対応する通信対象装置２００の位置、その位置の取得日時、及び上記通信対象装置２００を特定する固有識別情報（固有ＩＤ）を含むデータである。また通信対象装置２００は、取得した通信対象装置２００を搭載した車両の車両情報や交通情報などの提供情報を通信先特定サーバ３００に送信する。本実施形態の通信対象装置２００は、上記位置特定データと提供情報とを含むプローブ情報を、一定間隔毎に送信する構成となっている。
【００１０】
上記通信対象装置２００は、図１に示すように、ＧＰＳ受信装置２０１、車両信号取得部２１１、データロガー２０２、通信部２０３を備える。
ＧＰＳ受信装置２０１は、現在位置の判定情報を取得する。
車両信号取得部２１１は、通信対象装置２００を搭載した車両の速度等の車両情報を取得する。
データロガー２０２は、現在の位置情報、車両信号及びその情報を取得した取得日時、通信対象装置２００を特定する固有ＩＤを含むプローブ情報を保持する。
通信部２０３は、データロガー２０２に保持されている保持情報（プローブ情報）を、予め設定した時間間隔で定期的に上記通信先特定サーバ３００に送信する。通信部２０３と通信先特定サーバ３００とは、例えばインターネット接続する。道路インフラを通じて通信を実行しても良い。
【００１１】
「通信先特定サーバ３００」
通信先特定サーバ３００は、プローブ情報データベース３０１、プローブ情報取得部３０３、通信先特定部３０２、データ加工部３１１を備える。
プローブ情報データベース３０１は、通信対象装置２００群から受信することで取得した位置情報や車両信号とその取得時刻、通信対象装置２００を特定するための固有ＩＤを保持する。
【００１２】
プローブ情報取得部３０３は、通信対象装置２００が送信した位置特定データや提供情報を含むプローブ情報を受信する。そして、プローブ情報取得部３０３は、受信したプローブ情報を、例えば固有識別情報に関連付けて対応する通信対象装置２００を特定する特定情報としてプローブ情報データベース３０１に蓄積する。
通信先特定部３０２は、検索位置及び日時を検索条件として含む要求信号を、通信先指定装置１００から受信する。そして通信先特定部３０２は、上記要求信号に含まれる検索条件で上記蓄積した特定情報を検索して、検索条件を満足する通信対象装置２００を抽出することで、通信対象装置２００を特定する。
【００１３】
データ加工部３１１は、通信先特定部３０２が特定した１又は２以上の通信対象装置２００から受信した提供情報のうち、通信先特定部３０２の要求を満足する提供情報を抽出する。本実施形態では速度情報を抽出する。そして、データ加工部３１１は、その抽出した提供情報若しくはその提供情報を加工した加工情報を、上記要求信号を送信した通信先指定装置１００に送信する。本実施形態では、データ加工部３１１は、抽出した提供情報を通信先指定装置１００に提示可能な形に加工する。このように加工することで、通信先特定サーバ３００は、通信対象の相手を特定しない形で情報提供をする。そして、データ加工部３１１は、加工した情報を上記要求信号を送信した通信先指定装置１００に送信する。
【００１４】
「通信先指定装置１００」
通信先指定装置１００は、通信先特定サーバ３００に対し要求信号を送信し、その要求に応じて通信先特定サーバ３００が送信した提供情報のデータを受信する。そして、通信先指定装置１００は、受信した提供情報をユーザに表示その他によって提供する。上記提供情報は、特定の通信対象装置２００が送信した交通情報などの情報を加工してなる情報である。
【００１５】
本実施形態の通信先指定装置１００は、例えばＰＣ上で動作するウェブベースアプリケーションや、車載ナビゲーションシステム上で動作するシステムで構成する。また本実施形態の通信先指定装置１００は、地図上のエリアを通信先特定サーバ３００に送信する位置情報とし、通信先特定サーバ３００から、そのエリア内を走行中の車両の平均速度の情報を取得して、その取得情報をユーザに表示する構成となっている。すなわち、通信先指定装置１００は、通信先特定サーバ３００上に保持されているプローブ情報を取得し、ユーザに提示する機能と、地図上のエリアを選択することで、情報を取得する対象を指定する機能とを持つ。
【００１６】
本実施形態の通信先指定装置１００は、図１に示すように、通信部１０１、入力デバイス１２０、条件指定部１０２、出力制御部１０３、地図データベース１１１、出力デバイス１３０を備える。
通信部１０１は、通信先特定サーバ３００へ情報の取得条件（要求信号）を送信したり、指定した条件を満足する情報を受信する通信処理を行う。
【００１７】
入力デバイス１２０は、ユーザが情報を入力操作するための機器である。入力デバイス１２０は、例えばマイク１２１やタッチパネル１２２から構成される。
出力デバイス１３０は、ユーザに情報を提示するための機器である。出力デバイス１３０は、例えばディスプレイ１３１やスピーカ１３２から構成される。
地図データベース１１１は、地図情報を保持する。
条件指定部１０２は、入力デバイス１２０を介して、通信先特定サーバ３００上にある情報のうち必要な情報の取得条件を指定するために、地図上のエリアを指定させる機能を備える。
【００１８】
次に、上記通信先を指定するための通信先指定装置１００の処理を、図２を参照して説明する。
通信先指定装置１００は、通信先指定機能の作動要求を入力すると作動する（Ｓ１１００）。作動するとステップＳ１１０１に移行する。上記作動要求はユーザの操作に応じて入力する。
ステップＳ１１０１では、ディスプレイ１３１に現在位置周辺の地図を表示して、ユーザに選択を要求する。
次に、ステップＳ１１０２では、ユーザが地図上のエリアを、タッチパネル１２２を使って選択した地点を取得する。例えば、ディスプレイ１３１に表示中の地図を特定する位置情報、例えば地図の左上端点の緯度経度とその際の縮尺情報からなる位置情報を取得する。
【００１９】
次にステップＳ１１０３では、取得した位置情報、現在時刻を含む要求信号を、通信先の条件として通信先特定サーバ３００に送信する。このとき、提供の要求情報として速度情報を要求するとする。
そして、ステップＳ１１０４では、上記要求信号に応じて通信先特定サーバ３００が送信した提供情報を取得する。本実施形態では、例えば通信対象装置２００から取得した情報として、指定したエリアを通行する各車両の速度を加工して、当該指定したエリアを通行する各車両の平均速度を受信する。
続いてステップＳ１１０５では、受信した情報をディスプレイ１３１に表示する。その後、処理を終了する（Ｓ１１０６）。
【００２０】
なお、本実施形態の通信先特定サーバ３００では、指定エリアを通行する車両の平均時速を提示する構成とした。これに代えて若しくは併せて、通信先特定サーバ３００は、特定車両の燃費や車種構成、一定時間内に通行している車両の数などを提示することを選択できるよう、取得する情報を選択可能とする構成であっても良い。
また本実施形態では、現在時刻を情報取得の指定時刻としている。情報取得の指定時刻は、過去の日時であっても良い。
【００２１】
図３は、取得する情報を選択可能にし、日時条件も指定可能とした場合の通信先指定装置１００での画面表示例の例である。図３中の符号１００１はディスプレイ１３１の表示エリアであり、地図を表示している。このエリア表示の上に、情報を取得する条件を指定するためのエリアとして、日付指定エリア（１００３）、時刻指定エリア（１００４）、取得情報種別指定エリア（１００５）の各領域を設定する。取得情報種別指定エリアは、リスト選択方式で、平均速度や燃費、車種構成などを選ぶことができる構成とする。ユーザが表示されている地図上を点指定（例えば指でタッチ）すると、該当エリアは、選択を表すためにハイライト表示となる（１００２）。選択後、ＯＫボタン（１００６）を押すと、選択が完了する。そして選択完了したエリア情報と、取得条件が、サーバに送信される。この例では、指定位置を中心とするある半径距離以内のデータを指定エリアとして取得する。指定エリアとして、道路を指定するようにしたり、矩形で区切ったエリアを指定したりするようにしてもよい。
【００２２】
次に、上記通信先特定サーバ３００の処理を、図４を参照して説明する。
通信先指定装置１００からデータの取得条件（要求信号）を受信すると（Ｓ１３０１）、ステップＳ１３０２に移行する。
ステップＳ１３０２では、通信先特定部３０２は、プローブ情報データベース３０１に保持されているプローブ情報から指定された条件（位置及び時間範囲）を満足するデータを抽出する。例えば、走行車両の平均速度を提供要求し、その日時及びエリアを指定された場合は、指定時刻の前後１０分間以内に、指定された緯度経度範囲エリアを通過した履歴情報を持つ車両（通信対象装置２００）から取得した速度情報を抽出する。
【００２３】
ステップＳ１３０２では、条件を満足する情報の抽出が完了したら移行して、データ加工部３１１は、通信先指定装置１００に提供可能な形に、通信対象装置２００から取得した提供データを加工する。
そして、ステップＳ１３０４では、加工した提供データを通信先指定装置１００に送信する。
ステップＳ１３０５では、未送信データがあるか否かを判定する。未送信データが存在する場合には、ステップＳ１３０４に移行して、データの送信を継続する。一方、送信が完了した場合には、ステップＳ１３０６に移行して処理を終了する。
【００２４】
（動作その他）
通信対象装置２００が、当該通信対象装置２００を搭載する車両の位置情報、車両情報、情報取得時刻を含むプローブ情報を定期的に通信先特定サーバ３００に送信する。
通信先特定サーバ３００は、取得したプローブ情報をそのまま、若しくは加工してプローブ情報データベース３０１に格納する。
一方、通信先指定装置１００は、位置情報として指定したエリア情報、取得時刻を検索情報として含む要求信号を通信先特定サーバ３００に送信する。
通信先特定サーバ３００は、取得した要求情報を満足する車両が提供した情報から提供情報を加工して作成する。本実施形態では、指定エリアを指定した時刻前後に走行した車両の平均速度を提供情報とする。そして、加工した提供情報を、要求先の通信先指定装置１００に送信する。
【００２５】
通信先指定装置１００は、上記要求に対応して受信した提供情報を、通信先指定装置１００を操作するユーザに提供する。
これによって、通信先指定装置１００は、指定した位置及び時刻で特定される車両（通信対象装置２００）が提供した情報を、通信先特定サーバ３００を通じて取得することが可能となる。また取得する提供情報を加工することで、情報提供先の秘匿性を確保する。
ここで、プローブ情報取得部３０３は、通信対象情報取得部、情報蓄積部、及び提供情報保持部を構成する。データ加工部３１１は情報送信部を構成する。
【００２６】
（本実施形態の効果）
本実施形態は次の効果を奏する。
（１）プローブ情報取得部３０３は、通信対象装置２００の位置、その位置の取得日時、及び上記通信対象装置２００を特定する固有識別情報を含む位置特定データを受信する。プローブ情報取得部３０３は、受信した位置特定データを、通信対象装置２００を特定する特定情報として蓄積する。プローブ情報取得部３０３は、上記通信対象装置２００からの提供情報を受信して保持する。通信先特定部３０２は、検索位置及び指定日時を検索条件として含む要求信号を受信すると、上記要求信号に含まれる検索条件で上記蓄積した特定情報を検索して、検索条件を満足する通信対象装置２００を特定する。データ加工部３１１は、通信先特定部３０２が特定した１又は２以上の通信対象装置２００から受信した提供情報若しくはその提供情報を加工した加工情報の少なくとも一方の情報を、上記要求信号を送信した通信先指定装置１００に送信する。
【００２７】
また、通信対象装置２００は、通信対象装置２００の位置を取得する位置取得部、及び、位置取得部が取得した位置その位置の取得日時及び通信対象装置２００を特定する固有識別情報を含む位置特定データを通信先特定サーバ３００に送信する。
そして、通信先指定装置１００は、通信先特定サーバ３００に対し検索位置及び日時を検索状態に含む要求信号を送信すると共に、当該通信先特定サーバ３００から検索条件を満足する通信対象装置２００が送信した提供情報を受信する。
【００２８】
この構成によれば、通信先特定サーバ３００は、通信先指定装置１００から指定される検索位置とこれを判別する指定日時によってこの条件に該当する通信対象装置２００を特定することで、特定した通信先対象装置からの提供情報を通信先指定装置１００に対し送信する。この結果、通信先指定装置１００は、通信先特定サーバ３００を通じて、通信対象装置２００が提供する提供情報を取得可能となる。
【００２９】
（２）通信先特定サーバ３００は、通信先指定装置１００からの要求に従って、条件を満足する提供情報を、個別の通信対象装置２００が特定されない形に加工し、その加工した情報を要求された通信先指定装置１００に送信する。
この構成によれば、通信先特定サーバ３００は、通信対象装置２００からアップロードされた情報を、個別の通信対象装置２００を特定できない形に加工して通信先指定装置１００に提供する。この結果、通信対象装置２００の使用者及び通信先指定装置１００は、互いにそれぞれの個人情報を明かすことなく通信（情報の授受）が可能となる。
【００３０】
（３）上記通信先指定装置１００は、選択された地図情報上のエリアを取得し、取得したエリアを上記検索位置とする。
この構成によれば、通信先特定サーバ３００は、通信先指定装置１００によって指定された位置情報により、通信先を特定する。このため、通信先指定装置１００は、特定の位置に存在する通信対象装置２００と通信をしたい場合に、地図上の位置を指定するだけで、通信先を見つけることができる。
【００３１】
（４）上記通信対象装置２００の少なくとも１つは、移動体である車両に搭載されている。
この構成によれば、上記通信対象装置２００は、車両に搭載されている場合には、その車両の情報や車両が取得した交通情報を送信可能となる。
また、通信対象装置２００は、車両に搭載された車載システムとなるため、通信先指定装置１００またはこれのユーザは、当該通信対象装置２００が搭載されている車両が持つ通信装置の個別ＩＤを知らなくても、車両内のドライバや当該車載機と通信または当該車載機から得られる情報の取得が可能になる。
【００３２】
（５）上記通信先指定装置１００は、通信対象装置２００から取得したい提供情報の種別を通信先特定サーバ３００に送信する。上記通信先特定サーバ３００は、通信対象装置２００から受信した提供情報のうち、通信先指定装置１００から受信した種別の提供情報を当該通信先指定装置１００に送信する。
通信先指定装置１００は、通信対象装置２００から取得したい情報の種類を指定することで、通信先指定装置１００は必要な情報を取得することができる。
【００３３】
「第２実施形態」
次に、第２実施形態について図面を参照して説明する。なお、上記実施形態と同様な構成については同一の符号を付して説明する。
本実施形態の基本構成は、図５に示すように、上記第１実施形態の構成と同様である。なお、第１実施形態で説明したデータ加工部３１１が図示されていないが、データ加工部３１１を備えていても良い。以下の各説明は、その実施形態の主な処理で必要な処理部だけを記載している。他の実施形態でも同様である。
【００３４】
但し、本実施形態では、通信先指定装置１００は、指定通信可能な通信対象装置２００のリスト表示を行う機能を有する。また、通信対象装置２００は、車載情報システムとする。また、通信先確定後の通信手段は、通信先特定サーバ３００を介して行う。また本実施形態の通信先指定装置１００は、例えばＰＣ上で動作するウェブベースアプリケーションや、車載ナビゲーションシステム上で動作するシステム、スマートフォン上で動作するシステムとする。
【００３５】
（構成）
「通信対象装置２００」
本実施形態の通信対象装置２００は、図５に示すように、ＧＰＳ受信装置２０１、映像撮影部２１３、データロガー２０２、通信部２０３を備える。
ＧＰＳ受信装置２０１は、現在位置を判定するための受信装置である。
映像撮影部２１３は、カメラ２１２が撮像した車両周辺の映像を取得する。カメラ２１２は、車両に搭載されて車両周辺の映像を撮影する。
データロガー２０２は、ＧＰＳ受信装置２０１から得られるＧＰＳ信号を使った位置判定結果とこれらの取得日時を含む位置特定データを保持する。
【００３６】
通信部２０３は、データロガー２０２中の位置特定データ、映像撮影部２１３が取得した撮像映像を、インターネット接続された通信先特定サーバ３００に送信する。
本実施形態では、通信対象装置２００は、通常時は、予め設定した一定間隔で位置情報（位置特定データ）を通信先特定サーバ３００に送信し、通信先特定サーバ３００から映像要求を受信した場合には、カメラ２１２で撮影した映像を通信先特定サーバ３００に送信する構成とする。実際には、上記位置特定データと車両情報とによってプローブ情報が構成され、そのプローブ情報が一定間隔でアップロードされる。
【００３７】
「通信先指定装置１００」
通信先指定装置１００は、地図表示エリアを指定し、通信対象となりえる車両が指定エリアに存在するかどうかを通信先特定サーバ３００に問い合わせる機能と、問い合わせの結果、対象となる車両が存在した場合はこれを地図上に表示する機能とを備える。また、通信先指定装置１００は、表示した車両の中から映像を通信先特定サーバ３００を通して転送させる車両を特定する機能と、特定した車両からの映像要求信号を通信先特定サーバ３００に送信し、通信先特定サーバ３００を通じて、指定した車両からの映像を受信し、表示する機能と、を備える。
【００３８】
通信先指定装置１００は、マイク１２１やタッチパネル１２２などの入力デバイス１２０と、ディスプレイ１３１やスピーカ１３２などの出力デバイス１３０を備える。通信先指定装置１００は、条件指定部１０２及び出力制御部１０３を備える。
条件指定部１０２は、地図を表示し、入力デバイス１２０を通じて、地図上のエリアをユーザに選択させる。この選択は、通信先特定サーバ３００上にある情報のうち必要な情報の取得条件を指定するためである。条件指定部１０２は、指定されたエリアを含む要求信号を通信部１０１を介して通信先特定サーバ３００に送信する。また、条件指定部１０２は、地図上に表示された車両から、映像を取得する車を選択した情報を入力し、入力した選択された車両情報を通信先特定サーバ３００に送信する。
【００３９】
地図データベース１１１は、地図を表示するために、地図情報を保持する。
出力制御部１０３は、通信先特定サーバ３００から取得した情報を出力デバイス１３０を使ってユーザに提示する。
通信部１０１は、通信先特定サーバ３００へ情報の取得条件を送信したり、指定した条件を満足する情報を受信する処理を行う。
【００４０】
「通信先特定サーバ３００」
通信先特定サーバ３００は、プローブ情報データベース３０１、プローブ情報取得部３０３、通信先特定部３０２、映像転送部３１２を備える。
プローブ情報データベース３０１は、プローブ情報取得部３０３を通じて、通信対象装置２００が送信した位置情報や車両信号とその取得時刻、固有ＩＤを含むプローブ情報を保持する。
【００４１】
通信先特定部３０２は、通信先指定装置１００からの要求に従って、プローブ情報データベース３０１から指定された条件を満足する車両（＝通信対象装置２００）群を特定し、特定した車両が提供した情報を通信先指定装置１００に送信する。また通信先特定部３０２は、通信先指定装置１００が選択した車両に対して映像転送要求を出す。
映像転送部３１２は、映像転送要求を送信した車両からアップロードされた映像を、順次、要求した通信先指定装置１００に転送する。
【００４２】
次に、通信先指定装置１００の処理について、図６を参照して説明する。
通信先指定装置１００は、通信先指定機能の作動要求を入力すると（Ｓ２１００）、ステップＳ２１０１に移行する。
ステップＳ２１０１では、ディスプレイ１３１に地図を表示して、表示エリアを選択可能にする。
ステップＳ２１０２では、ユーザの操作によって、地図のスクロールや拡大などによりエリア内に存在する車両の情報を検索したいエリアを表示したことを検出すると、通信先指定装置１００は、エリア内の一覧情報を要求するために、表示中のエリアの位置情報（例えば左上端点の緯度経度と、縮尺）を通信先特定サーバ３００に送信する。
【００４３】
ステップＳ２１０３では、条件を満足する通信先から得られた情報（ここでは指定エリアに存在する車両の位置と車載機の固有ＩＤ）を、通信先特定サーバ３００から受信する。そして、全ての情報を取得したらステップＳ２１０４に移行する。
ステップＳ２１０４では、受信した情報を、ディスプレイ１３１に現在の地図に重ねるようにして該当車両の位置を表示して、ユーザに任意の車両を選択させる。本実施形態における該当車両の位置表示の例を図７に示す。図７では表示エリア（２００１）上に地図が表示されており、この地図上に現在通信可能な車両の位置を☆印として表示している（２００２）。
【００４４】
ステップＳ２１０５では、ユーザによる地図上の車両の選択を検出すると、この車両を特定する固有ＩＤを、映像要求信号とともに通信先指定サーバに送信する。
ステップＳ２１０６では、通信先特定サーバ３００を通じて指定した車両（通信対象装置２００）からの映像を転送開始すれば、転送されてきた映像を受信する。
ステップＳ２１０７では、受信した映像をディスプレイ１３１上に表示する。映像の転送は、ユーザからの指示があるまで続ける。
【００４５】
すなわち、ステップＳ２１０８にて、ユーザから映像転送中止指示の入力があったか、若しくは映像転送の情報を入力したか否かを判定する。条件を満足する場合には、ステップＳ２１０９に移行して、映像受信を中止して終了する。条件を満足しない場合にはステップＳ２１０６に移行して映像受信及び表示の処理を繰り返す。
ここで、本実施形態では現在時刻を情報取得指定時刻として、リアルタイムに映像を転送する場合を例示している。これに代えて、過去の日時を指定できるようにしてもよい。この場合は、指定時刻に対応する、通信先特定サーバ３００上に蓄えられた映像をサーバから受信してもよい。
【００４６】
また、本実施形態では、表示中の地図エリアの中から、通信可能な複数の車両のリストを表示させ、このリストから１つの車両を選択させてから映像転送を行う構成で説明した。映像を転送可能な車両の数が少なく（予め設定した数（例えば３台）以下の場合）、通信速度が充分確保されている場合は、車両の選択処理（Ｓ２１０３〜Ｓ２１０５）なしに該当車両全ての映像を、通信先指定装置１００に転送する構成としても良い。
【００４７】
「通信先特定サーバ３００」
通信先特定サーバ３００の処理のうち、通信対象装置２００からの位置特定データを含むプローブ情報の受信及び保持の処理は、上記第１実施形態と同様である。
次に、通信先特定サーバ３００の処理のうち、通信先指定装置１００から指定エリア内の通信可能車両一覧要求があった際の動作を、図８を参照して説明する。
通信先特定サーバ３００は、通信先指定装置１００からデータの取得条件を受信すると（Ｓ２２０１）、ステップＳ２２０２に移行する。
【００４８】
ステップＳ２２０２では、通信先特定部３０２は、プローブ情報データベース３０１に保持されているプローブ情報から、指定された条件を満足するデータ（プローブ情報）を抽出する。このとき、通信先指定装置１００からは指定エリアの位置情報（左上端点の緯度経度と縮尺）、指定日時を検索条件として指定される。この検索状態に基づき、例えば指定時刻の前後１０分間以内に、指定された緯度経度から予め設定した一定距離以内の緯度経度情報を含むプローブ情報を抽出する。この際の一定距離は指定縮尺に応じて計算される。そして、抽出したプローブ情報に対応する車両及び現在位置情報を抽出する。
ステップＳ２２０３では、抽出した車両を特定する固有ＩＤと、各車両の現在位置の情報の一覧とを通信先指定装置１００（Ｓ２２０３）に送信する。そして、全てのデータの送信を（Ｓ２２０４）処理を終える（Ｓ２２０５）。
【００４９】
次に、通信先特定サーバ３００の処理のうち、通信先指定装置１００から、車両（通信先装置）の選択情報を受信した際の処理を、図９を参照して説明する。
通信先特定サーバ３００は、通信先指定装置１００から、選択された通信先車両（通信対象装置２００）の固有ＩＤを受信すると（Ｓ２３０１）、ステップＳ２３０２に移行する。
ステップＳ２３０２では、選択された通信先車両に対して、映像転送のための接続要求を行う。
ステップＳ２３３０３にて、映像転送のための接続の完了を検出すると、映像受信処理（Ｓ２３０４〜Ｓ２３０５）、及び受信した映像転送処理（Ｓ２３０６〜Ｓ２３０８）を行う。
【００５０】
映像受信の処理（Ｓ２３０５）は、通信先指定装置１００から転送中止指示があるか、転送元の車両から転送中止要求があるまで続ける（Ｓ２３０４）。
映像転送の処理（Ｓ２３０８）も未送信データが存在し（Ｓ２３０７）、転送中止指示があるか、転送元の車両から転送中止要求があるまでこれを続ける（Ｓ２３０４）。中止指示があった場合は処理を終了する（Ｓ２３０９）。
【００５１】
次に、通信対象装置２００での映像転送に関する処理を、図１０を参照して説明する。
通信対象装置２００は、通信先特定サーバ３００から映像取得要求を受信するとステップＳ２４０２に移行する。
ステップＳ２４０２では、通信対象装置２００は、車載カメラ２１２を使った映像撮影を開始する（２４０２）。
映像撮影の処理（Ｓ２４０４）は、映像転送終了の指示が通信先特定サーバ３００から受信するか、通信対象装置２００を搭載している車両のエンジンが切れるなど、これを搭載している車両側もしくはそのユーザからの指示があるまで続ける（Ｓ２４０３）。
【００５２】
そして、映像撮影開始とともに、撮影した映像は通信先特定サーバ３００に送信（アップロード）を開始する。映像のアップロード処理（Ｓ２４０７）も、撮影した映像がのうち、未送信のものがある限り（Ｓ２４０６）、映像転送終了の指示が通信先特定サーバ３００から受信するか、通信対象装置２００を搭載している車両のエンジンを切るなど、これを搭載している車両側もしくはそのユーザからの指示があるまで続ける（Ｓ２４０３）。
その他の構成は、上記第１実施形態と同様である。
【００５３】
（動作その他）
本実施形態では、まず、現在、通信先指定装置１００が表示している地図上エリアを指定エリアとして通信先特定サーバ３００に送信する構成となっている。通信先特定サーバ３００は、取得した該当エリア上に存在する、通信可能な車両（通信対象装置２００）の位置の情報を、要求した通信先指定装置１００に送信する。通信先指定装置１００は、取得した通信可能な車両（通信対象装置２００）の位置を、表示中の地図上に重ねて表示することで、ユーザにいずれからの車両を選択させる。ユーザによる車両の選択情報を検出すると、その選択された車両の情報を通信先特定サーバ３００に送信する。
【００５４】
通信先特定サーバ３００は、選択された車両（通信対象装置２００）に対して当該車両に取り付けられたカメラ映像の情報を要求し、要求によって受信したカメラ映像の情報を通信先指定装置１００に転送する。通信先指定装置１００は、転送されたカメラ映像をディスプレイ１３１に表示する。
ここで、通信先指定装置１００の要求に応じて通信対象装置２００から転送される提供情報は映像でなくても良い。画像やプログラムソフトなどであっても良い。この転送処理は、容量が大きい場合に有効である。
ここで、ステップＳ２２０１〜Ｓ２２０４は、通信対象装置選択部を構成する。ステップＳ２３０１〜Ｓ２３０９，及び映像転送部３１２は、情報送信部を構成する。プローブ情報取得部３０３は、通信対象情報取得部、情報蓄積部、及び提供情報保持部を構成する。
【００５５】
（本実施形態の効果）
本実施形態は、上記第１実施形態の効果に加え次の効果を奏する。
（１）通信先特定サーバ３００は、通信先特定部３０２が特定した通信対象装置２００を選択するための選択情報を上記要求信号を送信した通信先指定装置１００に送信し、その送信に対して上記通信先指定装置１００から選択された通信対象装置２００の情報を受信する。通信先特定サーバ３００は、上記選択された通信対象装置２００から受信した提供情報若しくはその提供情報を加工した加工情報を、上記要求信号を送信した通信先指定装置１００に送信する。
【００５６】
この構成によれば、通信先特定サーバ３００は、通信先指定装置１００に対して、通信可能な通信対象装置２００の一覧等の選択情報を提示する。このため、通信先指定装置１００は、一覧提示された通信可能な通信対象装置２００から、目的の通信対象装置２００を選択するだけで、通信対象装置２００と通信可能となる。
【００５７】
（２）通信先特定サーバ３００は、要求に応じて特定した通信対象装置２００の情報を通信先指定装置１００に送信した後に、当該特定した通信対象装置２００から提供情報を受信すると、その受信した提供情報を通信先指定装置１００に送信する。
この構成によれば、通信先指定装置１００は、通信先特定サーバ３００を介して通信対象装置２００がアップロードする情報を取得したり、通信対象装置２００と情報のやりとりをすることが可能となる。このため、例えば、通信先特定装置からの要求があったタイミングでは通信対象装置２００が通信可能な状態にない場合にも、通信先特定装置は、通信対象装置２００が過去にアップロードした情報に基づいて、これらの情報を取得することができる。
【００５８】
「第３実施形態」
次に、第３実施形態について図面を参照して説明する。なお、上記実施形態と同様な構成については同一の符号を付して説明する。
本実施形態の基本構成は、図１１に示すように、上記第１実施形態の構成と同様である。なお、上記第１及び第２の構成を併せて備えていても良い。
但し、本実施形態の通信先指定装置１００は、自車位置周辺の移動体を認識する機能をもち、認識した移動体との接続を要求する方式をとる。
なお、符号４００は、移動通信端末の例である携帯電話用の通信網を示す。
【００５９】
「通信対象装置２００」
各通信対象装置２００は、現在位置を判定するためのＧＰＳ受信装置２０１を持つ車載システムとして動作する。通信対象装置２００は他に、ＧＰＳ受信装置２０１から得られるＧＰＳ信号を使った位置判定結果とこれらの取得日時を保持するデータロガー２０２とを持つ。これらプローブ情報をインターネット接続された通信先特定サーバ３００に定期的にアップロードする際は、携帯電話の通信部２０３が持つ通信機能を利用する。
携帯電話は、ロガー２０２とともに、車載スピーカ１３２にも着脱可能に接続され、ハンズフリーフォンとして、通話機能を果たす。通話機能は携帯電話の通話制御部２１５によって制御される。
【００６０】
「通信先指定装置１００」
通信先指定装置１００は、車両周辺を画像認識し、周辺の車両や人物を認識する機能と、認識した車両または人物のうち、通信したい相手をユーザに選択させる選択機能とを備える。また、通信先指定装置１００は、選択した相手の電話番号を通信先特定サーバ３００に問い合わせる機能と、取得した電話番号を使って、特定した相手に電話を発信、通話する機能とを備える。
【００６１】
通信先指定装置１００は、マイク１２１やタッチパネル１２２などの入力デバイス１２０と、ディスプレイ１３１やスピーカ１３２などの出力デバイス１３０を持つ。
通信先指定装置１００を搭載する車両は、他に車両周辺を撮影可能なカメラ２１２を備える。そして、通信先指定装置１００は、カメラ２１２の撮影した画像に基づき、周辺の車両や人物を認識する周辺認識部１１２を備える。その認識した結果は、出力制御部１０３を通してディスプレイ１３１上に表示される。認識結果がディスプレイ１３１上に表示されていたら、ユーザは、入力デバイス１２０を使って、通話をしたい相手を選択する。
【００６２】
その際、条件指定部１０２は、ＧＰＳ受信装置２０１から得られるＧＰＳ信号を使って、現在位置を判定する。そして、条件指定部１０２は、上記判定結果とこれらの取得日時と合わせて、要求信号として通信部１０１を通じて通信先特定サーバ３００に送信する。通信部１０１は、通信先特定サーバ３００から、通信相手の情報を受け取ったり、通話制御部１１３から通信相手に発信する通信処理も行う。
【００６３】
「通信先特定サーバ３００」
通信先特定サーバ３００は、プローブ情報データベース３０１、プローブ情報取得部３０３、通信先特定部３０２、ユーザ情報データベースを備える。
プローブ情報データベース３０１は、プローブ情報取得部３０３が各通信対象装置２００から取得した、位置情報や車両信号とその取得時刻、通信対象装置２００を特定するための車載機や携帯電話の固有ＩＤその他のプローブ情報を保持する。
【００６４】
ユーザ情報データベースは、抽出された固有ＩＤをもつ通信対象装置２００のそれぞれが通信に利用可能な通信手段（電話、メール、ＩＰ指定等）と各通信手段をとる際のアドレス（電話番号、メールアドレス、ＩＰアドレス）などを保持する。
通信先特定部３０２は、通信先指定装置１００からの要求に従って、プローブ情報データベース３０１及びユーザ情報データベースを参照して、指定された条件を満足する情報を抽出する。そして、通信先特定部３０２は、抽出した情報を通信先指定装置１００に送信する。
【００６５】
「通信先指定装置１００」
次に、通信先を指定するための通信先指定装置１００の処理を、図１２を参照して説明する。
通信先指定装置１００は、通信先指定機能の作動要求を検出すると（Ｓ３１００）、ステップＳ３１０１に移行する。
ステップＳ３１０１では、車載カメラ２１２からの映像に基づき周辺車両や人物の認識を開始する（Ｓ３１０１）。認識が完了したら、ステップＳ３１０２にて、認識結果をディスプレイ１３１に描画する。
【００６６】
ステップＳ３１０３では、ユーザがディスプレイ１３１に表示された、認識対象（車両または人物）をタッチパネル１２２を使って選択したか否かを判定する。選択されなかった場合にはステップＳ３１０１に戻って、ユーザによる選択がされるまで、認識と描画を繰り返す。一方、選択を検出した場合にはステップＳ３１０４に移行する。
ステップＳ３１０４では、選択検出時の自車位置を判定する。続いてステップＳ３１０５にて、判定された自車位置と選択された認識対象との相対距離及び方向を、画像から推定して、認識対象の位置を推定する。
【００６７】
ステップＳ３１０６では、位置推定が完了すると、通信先指定装置１００は、推定した認識対象（指定通信先）の位置（緯度経度）とその推定時刻と、人物または車両など認識対象の種別を、通信先特定サーバ３００に送信する。
ステップＳ３１０７では、上記送信に応じて、通信先特定サーバ３００から送信された送信情報を受信する。通信先特定サーバ３００からの送信情報は、検索条件と一致する通信対象装置２００との通信手段と各通信手段ごとのアドレス（通信情報）の情報である。
ここで、認識した車両が通信機能を備えていなかったり、人物が携帯電話を持っていない場合、通信先特定サーバ３００と接続していない場合などは、通信手段なしの回答を得る。
【００６８】
ステップＳ３１０８では、通信可能な対象で無いと判定した場合にはステップＳ３１０１に戻る。通信可能の場合にはステップＳ３１０９に移行する。
ステップＳ３１０９では、複数の通信手段が存在し、かつ、リクエスト元の通信先指定装置１００が該当通信手段を備えている場合は、ユーザに通信手段を選択させる。
ステップＳ３１１０では、選択が完了したら、該当アドレスにアクセスを開始する。その後、処理を終える（Ｓ３１１０）。
【００６９】
本実施形態では、通信対象装置２００は携帯電話を持っているため、携帯電話の電話機能とその電話番号、メール機能とそのメールアドレス、データ通信を行っているのでデータ通信のためのＩＰアドレスなどが通信手段及びアドレスとして回答される。
なお、通信先特定サーバ３００を介してのみ通信相手と通信する場合は、アドレスなどの個人情報は通信先指定装置１００には知らせないことも可能となる。
ここで、上記実施形態では、通信先指定装置１００上で、周辺認識処理を行う場合を例示している。これに代えて、画像を通信先特定サーバ３００に送って、通信先特定サーバ３００上で車両認識などを実施する構成としても良い。
【００７０】
図１３及び図１４は、認識結果の表示例である。図１３の例は、カメラ２１２として車両前方を撮影するカメラを使用した場合の例である。この図１３の例では、表示画面上（３００１）には前方車両（３１０１ａ〜ｃ）などを撮影した映像そのものと、これを認識処理し、車両として認識した結果（３２０１ａ〜ｃ）を映像に重ねて表示している。そして、認識した車両や人物を選択可能にしている。
【００７１】
また図１４の例は、カメラ２１２が車両の周囲４方向を映すための全周囲カメラの場合の例である。図１４に示す例では、表示画面上（３００１）には認識した車両（３１０２ａ〜ｅ）や人物（３１０３ａ〜ｃ）の、自車位置（３０１１）との位置関係を上方向から見た映像として表示している。この映像に、車両を認識した結果（３２０２ａ〜ｅ）や人物を認識した結果（３２０３ａ〜ｃ）を重ねて表示し、認識した車両や人物を選択可能にしている。
【００７２】
「通信先特定サーバ３００」
次に、本実施形態における通信先特定サーバ３００の処理を、図１５を参照して説明する。
通信先指定装置１００は、データの取得条件である、通信対象装置２００の位置とその時刻を含む要求信号を受信すると（Ｓ３３０１）、ステップＳ３３０２に移行する。
ステップＳ３３０２では、通信先特定部３０２は、プローブ情報データベース３０１に保持されているプローブ情報から指定された時刻に指定位置を通過したと推定される通信対象装置２００のデータを抽出し、そのＩＤを特定する。
【００７３】
ステップＳ３３０３では、該当データがない場合は、ステップＳ３３０４に移行する。該当データがある場合にはステップＳ３３０５に移行する。
ステップＳ３３０４では、該当なしのエラーメッセージを送信し、処理を終了（Ｓ３３０７）する。
一方、該当データが見つかってステップＳ３３０５に移行した場合には、該当ＩＤの通信対象装置２００へ発信するための電話番号をユーザ情報データベースから抽出する。
続いて、ステップＳ３３０６にて、抽出した電話番号を、要求した通信先指定装置１００に送信して、処理を終える（Ｓ３３０７）。
なお通信接続するための通信情報は、電話番号に限定されず、メールアドレス、ＩＰアドレスなどの通信可能な情報であれば良い。
その他の構成は、上記第１実施形態と同様である。
【００７４】
（動作その他）
本実施形態では、通信対象装置２００は車載情報システム、または携帯電話などの移動通信端末とする。
通信先特定サーバ３００は、通信対象装置２００個別情報を保持する構成をとるとともに、通信先指定装置１００と通信対象装置２００が通信先特定サーバ３００を介さず通信を可能とするための通信接続情報を提供する構成とする。また、通信先特定サーバ３００は、通信対象装置２００が通信に利用可能な通信手段の一覧を通信先指定装置１００に知らせることで、通信先指定装置１００は任意の通信手段を選択することができる構成とする。
これによって、通信先確定後の通信手段は、通信先特定サーバ３００を介さず行うことが可能となる。
【００７５】
ここで、本実施形態の通信先指定装置１００はＰＣ上で動作するウェブベースアプリケーションや、車載ナビゲーションシステム上で動作するシステムで構成する。本実施形態にあっては、通信先指定装置１００上に、周辺の車両や人を認識した結果を表示し、認識した車両を選択すると、通信先特定サーバ３００に電話番号の問い合わせが行われ、電話番号が見つかった場合は選択した相手に電話をかけることができる。
ここで、ユーザ情報３１３は、通信対象装置情報保持部を構成する。周辺認識部１１２は認識部を構成する。プローブ情報取得部３０３は、通信対象情報取得部、情報蓄積部、及び提供情報保持部を構成する。通信先特定部３０２は情報送信部を兼ねる。
【００７６】
（本実施形態の効果）
本実施形態は、第１実施形態の効果に加えて、次の効果を奏する。
（１）ユーザ情報３１３は、提供情報を送信する可能性のある通信対象装置２００に関する情報を保持する。そして、通信先特定サーバ３００は、通信先指定装置１００からの要求に応じて、要求された通信対象装置２００の情報を要求した通信先指定装置１００に送信する。
この構成によれば、通信先特定サーバ３００は、通信対象装置２００から送信（アップロード）される情報のほかに、個別の通信対象装置２００に関する情報を保持している。このため、通信先指定装置１００からの指定に従って、特定の場所等にいる通信対象装置２００に関して、通信対象装置２００からアップロードされる情報以外の詳細情報を提供することができる。
【００７７】
（２）通信先特定サーバ３００は、通信先指定装置１００からの要求に応じて、通信先特定部３０２が特定した通信対象装置２００に直接に通信接続するための通信情報を上記通信先指定装置１００に送信する。
この構成によれば、通信先特定サーバ３００は、通信先指定装置１００に対して、指定された条件を満足する通信対象装置２００と既存の通信手段を使って通信可能にする識別ＩＤを提供する。このため、通信先指定装置１００は、既存の通信手段により通信対象装置２００との通信が可能となる。
【００７８】
（３）通信先指定装置１００の周辺認識部１１２は、自己の周囲に存在する通信対象装置２００及び通信対象装置２００を装備している可能性のある移動体の少なくとも一方を認識対象として認識する。そして通信先指定装置１００の通信部１０１は、その認識部が認識した認識対象から通信対象装置２００又は移動体を選択する対象選択部と、対象選択部が選択した認識対象の情報を通信先特定サーバ３００に送信する。上記通信先特定サーバ３００は、通信先指定装置１００から受信した認識対象の情報に対応する通信対象装置２００を特定し、特定した通信対象装置２００が通信可能状態にあるかどうかを判断し、通信可能状態と判定した場合には、その通信可能状態の通信対象装置２００に関する提供情報を通信先指定装置１００に送信する。
【００７９】
この構成によれば、通信先指定装置１００が、周辺の通信対象装置２００またはこれを搭載している可能性のある移動体を認識する。そして通信先指定装置１００が、上記認識された通信対象装置２００またはこれを搭載している可能性のある移動体を選択した場合には、通信先特定サーバ３００は、選択された通信対象装置２００と通信先指定装置１００との通信を可能とする情報を提供情報として提供する。このように、通信先指定装置１００は、周辺に存在する通信対象装置２００またはこれを搭載している可能性のある移動体から通信したい相手を選択するだけで、任意の相手と通信することができる。
【００８０】
（４）通信先特定サーバ３００は、通信先指定装置１００からの要求に従って、通信先特定部３０２が特定した通信対象装置２００に通信接続するための一覧情報を、上記通信先指定装置１００に送信する。
この構成によれば、通信先指定装置１００は、通信先特定サーバ３００を介して、通信したい通信対象装置２００が利用可能な通信手段を知ることができる。このため、通信先指定装置１００は、通信相手が利用可能な通信手段をあらかじめ知らなくても、通信することができる。
【００８１】
（５）通信対象装置２００の少なくとも１つは、移動通信端末に搭載されている。
この構成によれば、通信対象装置２００は、携帯電話などの移動通信端末に搭載されているため、通信先指定装置１００またはこれのユーザは、移動通信端末を特定する、例えば携帯電話の電話番号やメールアドレスを入力しなくても、当該携帯電話等の移動通信端末との通信または当該移動通信端末から得られる情報の取得が可能となる。
【００８２】
通信対象装置２００は、移動通信端末そのものであっても良い。
ここで、全実施形態において、通信先指定装置１００、通信先特定サーバ３００、通信対象装置２００、通信先確定後の通信手段はそれぞれこの構成に限らず、他の実施形態に示す方式に置き換えた形で構成することも可能である。
また、通信先特定サーバ３００も１つに限定されない。例えばエリア毎にサーバを配置したサーバシステム構成であっても良い。
【符号の説明】
【００８３】
１００ 通信先指定装置
２００ 通信対象装置
３００ 通信先特定サーバ
３０１ プローブ情報データベース
３０２ 通信先特定部
３０３ プローブ情報取得部
３１１ データ加工部
３１２ 映像転送部
３１３ ユーザ情報
【図１】
2012256277.tif 000003
【図２】
2012256277.tif 000004
【図３】
2012256277.tif 000005
【図４】
2012256277.tif 000006
【図５】
2012256277.tif 000007
【図６】
2012256277.tif 000008
【図７】
2012256277.tif 000009
【図８】
2012256277.tif 000010
【図９】
2012256277.tif 000011
【図１０】
2012256277.tif 000012
【図１１】
2012256277.tif 000013
【図１２】
2012256277.tif 000014
【図１３】
2012256277.tif 000015
【図１４】
2012256277.tif 000016
【図１５】
2012256277.tif 000017